(57)【要約】  【課題】磁石付きのキャップを有する万年筆型のチョークホルダにおいて、キャップの磁石装着部位の外観を向上させるとともに、キャップに外力が作用する場合でも磁石の脱落を防ぐことができる万年筆型のチョークホルダを提供する。  【解決手段】チョークＣを保持する筒状のホルダ本体１０と、該ホルダ本体のチョーク突出側の部位に嵌合装着される中空状のプラスチック製のキャップ５０と、から成る万年筆型のチョークホルダ１００において、キャップ５０の内面に凹部５１を形成するとともに、該凹部の内部に磁石５２を固着する。【選択図】                図１
2006159433.tif 000002
【特許請求の範囲】
【請求項１】
チョークを保持する筒状のホルダ本体と、該ホルダ本体のチョーク突出側の部位に嵌合装着される中空状のプラスチック製のキャップと、から成る万年筆型のチョークホルダにおいて、
前記キャップの内面に凹部を形成するとともに、該凹部の内部に磁石を固着することを特徴とするチョークホルダ。
【請求項２】
前記キャップの外面の前記凹部に対応する部分に凸部を形成することを特徴とする請求項１に記載のチョークホルダ。
【請求項３】
前記凸部の周囲に略同一面上に位置するリブを形成することを特徴とする請求項２に記載のチョークホルダ。
【請求項４】
前記凸部の突出面は略長方形であることを特徴とする請求項２又は３に記載のチョークホルダ。
【請求項５】
前記ホルダ本体は中空状の外筒部材と前記外筒部材の内径面に摺動可能に嵌合された保持部材とを有し、前記保持部材によってチョークを着脱自在に保持することを特徴とする請求項１〜４のいずれか１項に記載のチョークホルダ。
【請求項６】
前記キャップに設けられた掛け止め部によってポケット等の縁に差し込むことで携帯可能であることを特徴とする請求項１〜５のいずれか１項に記載のチョークホルダ。
【発明の詳細な説明】
【技術分野】
【０００１】
本発明は、チョークを保持する筒状のホルダ本体と該ホルダ本体のチョーク突出側の外周に嵌合装着される中空状のキャップとから成る万年筆型のチョークホルダに関する。
【背景技術】
【０００２】
現場で証拠写真や記念写真を撮ったりするような場合、現場の状況説明や注意書きも同時に撮影しておくことを要請されることがあり、そのような場合には、携帯可能な黒板に必要事項を書くためにチョークを携帯することが必要になる。このチョークを携帯する手段として、万年筆型のチョークホルダが使用されている。
【０００３】
また、上記の万年筆型のチョークホルダにおいては、保管するために一定位置に保持しり、他のものに持ち替えて使用を一時中断したりするために、磁石を用いて鉄製品などの磁性体に磁力で吸着させておくことが行われている。そのために、キャップの所定部位に固着した磁石が一般に使用されている。
【特許文献１】・・
【発明の開示】
【発明が解決しようとする課題】
【０００４】
しそこで、従来のチョークホルダでは、キャップの外周面に磁石を固着しておき、該磁石を他の磁性体に直接吸着させていた。しかしながら、このような従来の構成では、一般にプラスチック成型品であるキャップの外表面に磁石をむき出しの状態で固着することになるので、外観を損なわれることに加え、磁石に他の部材等が接触しやすく、他の部材が接触したときの外力によって前記磁石が脱落することがあった。
【０００５】
本発明はこのような技術的課題に鑑みてなされたものであり、本発明の目的は、磁石付きのキャップを有する万年筆型のチョークホルダにおいて、キャップの磁石装着部位の外観を向上させるとともに、キャップに外力が作用する場合でも磁石の脱落を防ぐことができる万年筆型のチョークホルダを提供することである。
【課題を解決するための手段】
【０００６】
本発明は、上記目的を達成するため、チョークを保持する筒状のホルダ本体と、該ホルダ本体のチョーク突出側の部位に嵌合装着される中空状のプラスチック製のキャップと、から成る万年筆型のチョークホルダにおいて、前記キャップの内面に凹部を形成するとともに、該凹部の内部に磁石を固着することを特徴とする。
【発明の効果】
【０００７】
本発明によれば、キャップの内面に凹部を形成するとともに、該凹部の内部に磁石を固着する構成を採るので、キャップの磁石装着部位の外観を向上させるとともに、該キャップに外力が作用する場合でも磁石の脱落を防ぐことができる万年筆型のチョークホルダが提供される。
【発明を実施するための最良の形態】
【０００８】
以下、図面を参照して本発明の実施形態を具体的に説明する。なお、各図面を通して同一符号は同一又は対応部分を示すものである。図１は本発明を適用したチョークホルダの一実施形態を示す模式的縦断面図である。図２は図１中の線２−２から見た模式的側面図であり、図３は図１中の線３−３から見た模式的側面図である。図４は図１中の線４−４から見た模式的断面図である。図１〜図４において、万年筆型のチョークホルダ１００は、保管時や携帯時の非使用時には図示のようにホルダ本体１０のチョーク突出側にキャップ５０を嵌合装着してキャッピング状態とする。一方、使用時には外したキャップをホルダ本体の他端側から嵌合するか、外して近くの所望位置に置くなどし、チョークホルダ１００を握って黒板等にチョークで書き物をする。
【０００９】
先ず、本実施形態におけるホルダ本体１０の構造について説明する。ホルダ本体１０は、概略的には、中空円筒状の外筒部材の内部に、チョークＣを着脱自在に保持するための中空円筒状の保持部材１２を摺動可能に嵌合装着した構造を有する。前記外筒部材１１の内径部の途中に、貫通孔（中心孔）１３を有する仕切り部１４が形成されている。前記保持部材１２は有底の中空部からなるチョーク装着部１５を有し、該チョーク装着部１５にはチョークＣを突出方向に比較的軽いばね力で付勢するチョークばね２０が挿入されている。
【００１０】
保持部材１２の仕切り部１４の背面には、チョーク装着部１５と反対側へ延びる軸部１６が一体に形成されている。軸部１６の先端側の部位にはばね受け部材１７が取り付けられている。このばね受け部材１７は、保持部材１２の軸部１６に対して、軸方向には一体に移動するが周方向には相対回動できる状態で取り付けられている。そこで、軸部１６の回りであって、ばね受け部材１７と外筒部材１１の仕切り部１４との間には、圧縮ばね１８が装着されている。この圧縮ばね１８によって保持部材１２のチョーク装着部１５の背面が仕切り部１４（その保持部材受け面１４ａ）に圧接され、これによって、外筒部材１１に対する保持部材１２の通常位置が規制されている。圧縮ばね１８のばね力は、前記チョークばね２０のばね力よりかなり大きい値に選定されている。
【００１１】
ばね受け部材１７は、外筒部材１１の内径面に対し摺動自在であり、その先端部は外筒部材１１より若干突出している。また、保持部材１２の軸部１６は外筒部材１１の端部近傍まで延びており、その先端部には操作部となる先端部材１９が掛け止め状態で装着されている。以上の構成によれば、先端部材１９を押し込み操作することにより、圧縮ばね１８のばね力に抗して軸部１６と共にばね受け部材１７を図１中の左方向へ移動させることができ、それによって、軸部１６と一体のチョーク装着部１５を外筒部材１１に対して図１中の左方向へ相対移動する。
【００１２】
図５はチョーク装着部１５の先端部位に形成されたグリップ部３０を示す模式的部分斜視図である。円筒中空状のチョーク装着部１５の先端側の部位はチョークＣを回りから挟圧保持するためのグリップ部３０を構成しており、図５に示すように、先端部２２の外径が外筒部材１１の内径より若干大きく選定されるとともに、円周方向複数箇所（例えば４箇所）に先端開放の縦割り溝２１が形成されている。かかる構造によれば、チョーク装着部１５を外筒部材１１の先端から押し出した状態でチョークＣを挿入した後に押し込み力を解除すれば、チョーク装着部１５が圧縮ばね１８によって自動的に図１に示す通常の収納位置へ引っ込められ、それによって、グリップ部３０が外筒部材１１の内径面によって締め付けられることで、自動的に該グリップ部３０によってチョークＣを周囲から挟圧することで該チョークを保持することができる。
【００１３】
また、図１に示すようにチョークＣを挟圧把持（保持）した状態から先端部材１９を押し込み操作すると、チョーク装着部１５が外筒部材１１から突出する方向へ移動することで、上記グリップ部３０によるチョークＣに対する保持力（締め付け力）が無くなる。そのため、チョークＣはチョークばね２０によって自動的にホルダ本体１０から放出される。以上の構造によって、チョークＣを着脱自在に保持可能な万年筆型のチョークホルダ１００が構成されている。なお、以上説明した外筒部材１１、保持部材１２、ばね受け部材１７及び先端部材１９は、プラスチック成形品で作ることが好ましい。
【００１４】
以上説明したようなチョークＣを保持するための筒状のホルダ本体１０のチョーク突出側の外周には、一端開放の中空円筒状のプラスチック成形品からなるキャップ５０が着脱可能に嵌合装着されている。このキャップ５０の表面には、万年筆と同様の掛け止め部６１が設けられている。この掛け止め部６１は、洋服や鞄等のポケットの縁部から差し込んでチョークホルダ１００を携帯可能に掛け止めするためのものであり、本実施形態ではキャップ５０と一体成形により若干弾性変形可能に形成されている。
【００１５】
キャップ５０の内面には所定幅、所定長さ及び所定高さの直方体空間からなる凹部５１が形成されており、該凹部５１の内部には該凹部の形状に倣った略直方体形状をした永久磁石５２が固着されている。キャップ５０の円周方向における前記掛け止め部６１と前記凹部５１（磁石５２）との相対位置は、図示の例では円周角で約９０度に選定されているが、これは１８０度など、他の適当な角度に選定することができる。また、キャップ５０の長さ方向における前記凹部５１（磁石５２）の位置は、図示の例では一端がキャップ開口端に略一致するように選定したが、これは場合に応じて適宜選定可能である。
【００１６】
図１〜図４において、キャップ５０の外面の前記凹部５１に対応する部分には、該凹部に対応する形状を有する凸部５３が形成されている。図示の例では、凸部５３は、略直方体空間の凹部５１より一回り大きな略直方体に対応する形状をしている。つまり、凸部５３の突出面は略長方形になっている。また、凸部５３の周囲（図示の例では４辺）には、略同一面上に位置する（略同一面を形成する）ように若干隆起したリブ５４が形成されている。このリブ５４は、磁石５２の磁力によって吸着する際の固定の安定化を図るためのものである。
【００１７】
以上説明した実施形態によれば、キャップ５０の内面に凹部５１を形成するとともに、該凹部の内部に磁石５２を固着する構成を採るので、キャップの表面に磁石を固着する従来例に比べて、キャップ５０の磁石装着部位の外観を向上させるとともに、該キャップに外力が作用する場合でも磁石の脱落を防ぐことができる万年筆型のチョークホルダが提供される。
【図面の簡単な説明】
【００１８】
【図１】本発明を適用したチョークホルダの一実施形態の構造を示す模式的縦断面図である。
【図２】図１中の線２−２から見た模式的側面図である。
【図３】図１中の線３−３から見た模式的側面図である。
【図４】図１中の線４−４から見た模式的断面図である。
【図５】図１中の保持部材のチョーク装着部の先端部位に形成されたグリップ部を示す模式的部分斜視図である。
【符号の説明】
【００１９】
１０      ホルダ本体
１１      外筒部材
１２      保持部材
１３      貫通孔（中心孔）
１４      仕切り部
１５      チョーク装着部
１６      軸部
１７      ばね受け部材
１８      圧縮ばね
１９      先端部材
２０      チョークばね
２１      縦割り溝
２２      先端部
３０      グリップ部
５０      キャップ
５１      凹部
５２      永久磁石
５３      凸部
５４      リブ
６１      掛け止め部
Ｃ        チョーク
【図１】
2006159433.tif 000003
【図２】
2006159433.tif 000004
【図３】
2006159433.tif 000005
【図４】
2006159433.tif 000006
【図５】
2006159433.tif 000007